(57)【特許請求の範囲】
【請求項１】
左右光軸を有する双眼用の実体顕微鏡において、
前記左右光軸の相対位置を変えて実体角を変換する実体角変換手段と、
前記実体角変換手段によって変換した実体角に応じて輻輳角を調整する輻輳角調整手段とを備えたことを特徴とする実体顕微鏡。
【請求項２】
左右光軸を有する双眼用の実体顕微鏡において、
前記左右光軸の相対位置を変えて実体角を変換する実体角変換手段と、
輻輳角を調整する輻輳角調整手段と、
前記実体角変換手段によって実体角が変換されたかどうかを判定し、その判定結果を基にして前記輻輳角調整手段の動作を制御する制御手段とを備えたことを特徴とする実体顕微鏡。
【請求項３】
前記実体角変換手段を前記左右光軸に対して挿脱する第１の挿脱手段を備えたことを特徴とする請求項１または２に記載の実体顕微鏡。
【請求項４】
前記輻輳角調整手段は、前記実体角変換手段によって実体角が相対的に小さい角度に変換された場合には、前記輻輳角も相対的に小さい角度に調整することを特徴とする請求項１または２に記載の実体顕微鏡。
【請求項５】
前記輻輳角調整手段を前記左右光軸に対して挿脱する第２の挿脱手段を備え、前記実体角変換手段と前記輻輳角調整手段は、前記第１の挿脱手段および前記第２の挿脱手段により前記左右光軸に対して相対的に挿脱されることを特徴とする請求項３に記載の実体顕微鏡。
【発明の詳細な説明】
【０００１】
【発明の属する技術分野】
本発明は、被検者の被検眼の観察や検査などに用いられる双眼用の実体顕微鏡に関する。
【０００２】
【従来の技術】
一般に、実体顕微鏡は、工業や医療などの広範囲の分野において適用されているが、その使用目的は観察対象物である例えば被検者の被検眼を単に拡大観察するのみならず、被検者の被検眼に対して精細な観察や検査を行うためである。従って、このような目的に用いる実体顕微鏡としては、検者が楽な姿勢で被検者の被検眼の観察や検査を行えることが望まれている。
【０００３】
従来の双眼用の実体顕微鏡は、例えば１３゜の固定の実体角（ステレオ角）を有しており、このような実体顕微鏡により被検者の被検眼の前眼部に対して上記の固定の実体角により立体目視が可能となっている。一方、このような実体顕微鏡により被検者の被検眼の眼底部を観察する場合には、さらにコンタクトレンズが用いられている。
【０００４】
また、例えば特許公報（特公平７−１１１５０７号）に記載されている双眼用の実体顕微鏡には、回転可能な光学素子（プリズム）を備えた実体角変換器が設けられており、この実体角変換器の回転可能な光学素子によって部分光ビームの光軸の相対位置を変えることにより実体角を変換し、被検者の被検眼の前眼部および眼底部を観察可能としている。
【０００５】
すなわち、このような実体顕微鏡により被検眼の前眼部を観察する場合には、上記の光学素子を平行板ガラスの状態で配置されるようにする。一方、被検眼の眼底部を観察する場合には、この光学素子を例えば９０゜回転させて固定する。これにより、部分光ビームの左右光路（軸）間の距離を光学素子と対物レンズの間の領域で狭くし、実体角を例えば１３゜から４．５゜に変換して小さくしている。なお、被検眼の眼底部を観察する場合にはコンタクトレンズを用いる必要があるが、実体角を小さくすることによりコンタクトレンズでのいわゆるケラレが少なくなるので、両眼視できる範囲を広げることが可能となる。
【０００６】
さらに、例えば特許公開公報（特開平１１−２８１８９４号）に記載されている双眼用の実体顕微鏡では、左右光軸に対して実体角変換器を挿脱させることにより実体角を変換し、被検者の被検眼の前眼部および眼底部を観察可能としている。なお、被検眼の眼底部を観察する場合には、上述の特許公報（特公平７−１１１５０７号）に記載されている実体顕微鏡の場合と同様に、実体角が小さくなるように変換している。
【０００７】
【発明が解決しようとする課題】
以上のように、従来の実体顕微鏡において被検眼の眼底部を観察する場合には実体角を小さくする必要があるが、この実体角を小さくしたことにより眼底部の観察において立体感が得られなくなってしまうという問題がある。
【０００８】
本発明は上記事情に鑑みてなされたものであり、本発明の目的は、対物レンズと変倍光学系との間に実体角変換部を設けて実体角を変換可能とするとともに、変倍光学系と接眼レンズとの間に輻輳角調整部を設けて実体角変換部によって変換された実体角に応じて輻輳角も調整可能とすることにより、被検者の被検眼の前眼部および眼底部の観察や検査などにおいてより立体感が得られ両眼視が容易な双眼用の実体顕微鏡を提供することである。
【０００９】
【課題を解決するための手段】
上記課題を解決するために、請求項１に記載の発明は、左右光軸を有する双眼用の実体顕微鏡において、前記左右光軸の相対位置を変えて実体角を変換する実体角変換手段と、前記実体角変換手段によって変換した実体角に応じて輻輳角を調整する輻輳角調整手段とを備えたことを特徴とする。
【００１０】
また、上記課題を解決するために、請求項２に記載の発明は、左右光軸を有する双眼用の実体顕微鏡において、前記左右光軸の相対位置を変えて実体角を変換する実体角変換手段と、輻輳角を調整する輻輳角調整手段と、前記実体角変換手段によって実体角が変換されたかどうかを判定し、その判定結果を基にして前記輻輳角調整手段の動作を制御する制御手段とを備えたことを特徴とする。
【００１１】
上記請求項１または２に記載の発明の実体顕微鏡において、請求項３に記載の発明は、前記実体角変換手段を前記左右光軸に対して挿脱する手段を備えたことを特徴とする。
【００１２】
上記請求項１または２に記載の発明の実体顕微鏡において、請求項４に記載の発明は、前記輻輳角調整手段は、前記実体角変換手段によって実体角が相対的に小さい角度に変換された場合には、前記輻輳角も相対的に小さい角度に調整することを特徴とする。
【００１３】
上記請求項３に記載の発明の実体顕微鏡において、請求項５に記載の発明は、前記輻輳角調整手段を前記左右光軸に対して挿脱する第２の挿脱手段を備え、前記実体角変換手段と前記輻輳角調整手段は、前記第１の挿脱手段および前記第２の挿脱手段により前記左右光軸に対して相対的に挿脱されることを特徴とする。
【００１４】
【発明の実施の形態】
以下、本発明の実施の形態について図面を参照して説明する。
【００１５】
図１は本発明の実施の形態の双眼用の実体顕微鏡の外観構成を示す平面図、図２は本発明の実施の形態の双眼用の実体顕微鏡の外観構成を示す側面図、図３は本発明の実施の形態の双眼用の実体顕微鏡の光学系の構成を示す図である。なお、図３は本発明の実施の形態の実体顕微鏡によって被検眼の前眼部を観察する場合の光学系の構成を示している。
【００１６】
図１、図２、および図３に示すように、本発明の実施の形態の双眼用の実体顕微鏡１０は、被検者の被検眼のような観察対象物Ｏと対向して設けられる対物レンズ１ａを有する対物レンズユニット１と、対物レンズ１ａを通過した２系統の観察光束を屈折させて左右光軸の相対位置を変化させることにより実体角（ステレオ角）を変換する実体角変換ユニット６と、実体角変換ユニット６を通過した２系統の観察光束に関してそれぞれ変倍を行う変倍光学系２ａ、２ｂを備えた変倍光学系ユニット２と、変倍光学系ユニット２によって変倍を行った観察光束を所定の位置に結像して観察像を得る結像レンズ３ａ、３ｂ、結像レンズ３ａ、３ｂにより得た観察像を正立させる正立プリズム４ａ、４ｂ、輻輳角を調整するためのウエッジプリズム３０ａ、３０ｂを有する輻輳角調整部３０、および接眼レンズ部５ａ、５ｂを備えた接眼鏡ユニット５とによって構成されている。
【００１７】
対物レンズユニット１、実体角変換ユニット６、変倍光学系ユニット２、および接眼鏡ユニット５は、観察対象物Ｏから離れる方向に左右光軸に沿ってこの順序に配置されている。
【００１８】
なお、図３に示すような実体顕微鏡１０の光学系では、後述する実体角変換部は左右光軸Ｌ１、Ｌ２上に配置されていないので、実体角α１（例えば１３゜）が得られ、これにより被検眼の前眼部の観察などが容易となる。
【００１９】
図４は本発明の実施の形態の実体顕微鏡における実体角変換ユニットの構成を示す概略図、図５は本発明の実施の形態の実体顕微鏡により被検眼の眼底部を観察する場合の光学系の構成を示す図である。図４に示すように、実体角変換ユニット６は、実体顕微鏡１０の実体角を変換するための実体角変換プリズム６ａ、６ｂや実体角変換プリズム６ａ、６ｂを設置するための設置部材１２などによって構成される実体角変換部１８と、実体角変換部１８を上下方向Ｙ１に移動可能にすることにより実体角変換部１８を左右光軸Ｌ１、Ｌ２に対して挿脱させるための支柱１１ａ、１１ｂと、実体角変換部１８を上下方向Ｙ１に移動させるための移動レバー７と、実体角変換部１８の挿脱により実体角が変換されたかどうかを検出するための実体角変換検出スイッチ４１とを備えている。
【００２０】
実体角変換プリズム６ａ、６ｂは、例えば接着剤を用いてその一部を接着することによって一体化して構成されており、設置部材１２上に設置されている。また、支柱１１ａ、１１ｂの両端部は実体角変換ユニット６の上下内側面に固定して設けられている。さらに、設置部材１２は、移動レバー７と連結し、さらに支柱１１ａ、１１ｂに対して上下方向Ｙ１に移動可能に設けられている。これにより、移動レバー７によって実体角変換部１８を上下方向Ｙ１に移動可能としている。
【００２１】
実体角変換検出スイッチ４１は、実体角変換部１８が左右光軸Ｌ１、Ｌ２上に配置されているかどうかを検出する。実体角変換検出スイッチ４１は、例えば、実体角変換部１８が左右光軸Ｌ１、Ｌ２上に配置された場合にはオンし、実体角変換部１８が左右光軸Ｌ１、Ｌ２上から取り除かれた（退避させた）場合にはオフするように構成されている。
【００２２】
なお、図５に示すような実体顕微鏡１０の光学系では、実体角変換部１８は左右光軸Ｌ１、Ｌ２上に配置されて左右光軸Ｌ３、Ｌ４が構成されるので、実体角α１よりも小さい角度である実体角α２（例えば４．５゜）が得られる。これにより、被検眼の眼底部の観察などが容易となる。
【００２３】
図６は本発明の実施の形態の実体顕微鏡における実体角の変換および輻輳角の調整を説明するための図である。図６に示すように、実体角がα１とα２のいずれの角度に変換されているかに応じて輻輳角をθとδ（θ＞δ、例えばほぼ０゜）との間で調整している。
【００２４】
すなわち、被検眼の前眼部を観察可能とする場合には、図３に示すように、実体角変換部１８を左右光軸Ｌ１、Ｌ２上から取り除くことによって実体角をα１に変換している。この場合、さらに、輻輳角変換部３０のウエッジプリズム３０ａ、３０ｂを左右光軸Ｌ１、Ｌ２上に配置することによって輻輳角をθに調整している。
【００２５】
一方、被検眼の眼底部を観察可能とする場合には、図５に示すように、実体角変換部１８を構成する実体角変換プリズム６ａ、６ｂを左右光軸Ｌ３、Ｌ４上に配置することによって実体角をα１からα２に変換している。この場合、さらに、輻輳角変換部３０のウエッジプリズム３０ａ、３０ｂを左右光軸Ｌ３、Ｌ４上から取り除くことによって輻輳角をθからδ（ここでは、ほぼ０゜）に調整している。
【００２６】
図７は本発明の実施の形態の双眼用の実体顕微鏡の構成の一部を示すブロック図である。図７に示すように、本発明の実施の形態の実体顕微鏡は、輻輳角調整部３０のウエッジプリズム３０ａ、３０ｂを左右光軸に対して挿脱するためのウエッジプリズム駆動回路４０と、実体角変換検出スイッチ４１と、輻輳角変換部３０によって調整される輻輳角に応じて接眼レンズ部５ａ、５ｂを旋回させるための駆動モータ４３と、駆動モータ４３を駆動するための接眼レンズ部駆動回路４２と、変換される実体角に応じて調整される輻輳角に関する輻輳角情報を記録する記録ユニット４４と、ウエッジプリズム駆動回路４０、実体角変換検出スイッチ４１、接眼レンズ部駆動回路４２、および記録ユニット４４の動作をそれぞれ制御する制御処理ユニット５０とを備えている。
【００２７】
制御処理ユニット５０では、実体角変換検出スイッチ４１のオン／オフ状態を示すオン信号またはオフ信号をチェックし、そのチェック結果を基にして輻輳角を調整する必要があるかどうかを判断する。輻輳角を調整する必要があると判断した場合には、ウエッジプリズム３０ａ、３０ｂを左右光軸上に対してそれぞれ挿脱する。
【００２８】
図８および図９は本発明の実施の形態の双眼用の実体顕微鏡において接眼レンズ部を旋回させる接眼レンズ部旋回機構を示す図である。なお、図８は接眼レンズ部旋回機構を上から見た平面図であり、図９は図８に示す接眼レンズ部旋回機構の側面図である。
【００２９】
図８および図９に示すように、接眼レンズ部旋回機構は、接眼レンズ部５ａ、５ｂをそれぞれ設置するための設置部材６０ａ、６０ｂと、それぞれ設置部材６０ａ、６０ｂが固定されており、また互いに噛み合っている回転ギア６１ａ、６１ｂと、回転ギア６１ｂと噛み合っている回転ギア６２と、回転ギア６２の回転軸６３と連結している駆動モータ４３とによって構成されている。
【００３０】
制御処理ユニット５０の制御の下で接眼レンズ部駆動回路４２の動作を制御して駆動モータ４３を駆動した場合、駆動モータ４３による回転軸６３の回転により回転ギア６２を回転させる。回転ギア６２の回転に伴って回転ギア６２に噛み合っている回転ギア６１ｂが回転し、これにより設置部材６０ｂが輻輳角θの１／２の角度である所定角度θ／２だけ旋回する。また、回転ギア６１ｂの回転に伴って回転ギア６１ｂに噛み合っている回転ギア６１ａが回転し、これにより設置部材６１ａが輻輳角θの１／２の角度である所定角度θ／２だけ旋回する。
【００３１】
従って、設置部材６０ａ、６０ｂ上にそれぞれ設置されている接眼レンズ部５ａ、５ｂは回転軸６４ａ、６４ｂを支点として左右光軸に対してθ／２だけ旋回することになる。
【００３２】
次に、本発明の実施の形態の実体顕微鏡の作用について説明する。
【００３３】
例えば、被検眼の前眼部を観察可能とする場合には、移動レバー７を用いることにより支柱１１ａ、１１ｂに沿って実体角変換部１８を下方向に移動させて左右光軸上から取り除く。これにより、実体角α１が得られる。なお、実体角変換部１８が左右光軸上から取り除かれると実体角変換検出スイッチ４１がオフされ、オフ信号が制御処理ユニット５０に出力される。
【００３４】
制御処理ユニット５０では、実体角変換検出スイッチ４１からオフ信号を受けると、ウエッジプリズム駆動回路４０の動作を制御してウエッジプリズム３０ａ、３０ｂを左右光軸Ｌ１、Ｌ２上に挿入して配置させる。
【００３５】
また、制御処理ユニット５０では、記録ユニット４４に記録されている輻輳角情報を基に接眼レンズ部駆動回路４２の動作を制御して駆動モータ４３を駆動させる。これにより、回転軸６４ａ、６４ｂを支点として接眼レンズ部５ａ、５ｂが設置されている設置部材６０ａ、６０ｂが互いに離れる方向に所定角度θ／２だけそれぞれ旋回する。
【００３６】
以上のような動作により、変換された実体角α１に応じて輻輳角をθに調整し、図３に示すような実体顕微鏡１０の光学系を構成させる。
【００３７】
一方、例えば、被検眼の眼底部を観察可能とする場合には、移動レバー７を用いることにより支柱１１ａ、１１ｂに沿って実体角変換部１８を上方向に移動させて左右光軸上に配置させる。これにより、実体角がα１からα２に変換される。なお、実体角変換部１８が左右光軸上に配置されると実体角変換検出スイッチ４１がオンされ、オン信号が制御処理ユニット５０に出力される。
【００３８】
制御処理ユニット５０では、実体角変換検出ユニット４１からオン信号を受けると、ウエッジプリズム駆動回路４０の動作を制御してウエッジプリズム３０ａ、３０ｂを左右光軸上から取り除く。
【００３９】
また、制御処理ユニット５０では、記録ユニット４４に記録されている輻輳角情報を基に接眼レンズ部駆動回路４２の動作を制御して駆動モータ４３を駆動させる。これにより、回転軸６４ａ、６４ｂを支点として接眼レンズ部５ａ、５ｂが設置されている設置部材６０ａ、６０ｂが互いに近づく方向に所定角度θ／２だけそれぞれ旋回する。
【００４０】
以上のような動作により、変換された実体角α２に応じて輻輳角をθよりも小さい角度（ほぼ０゜）に調整し、図５に示すような実体顕微鏡１０の光学系を構成させる。
【００４１】
以上のように、本発明の実施の形態では、必要な実体角に応じて観察光束の左右光軸に対して上下方向（垂直方向）に実体角変換部を挿脱している。従って、被検眼の前眼部を観察（実体角がα１）する場合には、観察光束が変位していない位置で左右光軸上から実体角変換部が取り除かれ、左右光軸上に不要な光学部材が配置されることがなくなる。これにより、より鮮明な観察像を得ることができる。
【００４２】
また、実体角の変換に応じて輻輳角調整部により輻輳角も調整しているので、立体感が得られた観察が可能となる。特に、被検眼の眼底部を観察するために実体角を相対的に小さい角度に変換した場合、輻輳角も相対的に小さい角度（ほぼ０゜）に調整している。従って、被検眼の眼底部に対して立体感が得られた観察を容易に行うことができる。
【００４３】
なお、本発明の実施の形態では、上述したように、実体角変換部を左右光軸に対して挿脱することにより実体角を変換しているが、例えば、実体角変換部を構成する光学部材を左右光軸上で回転させて実体角を変換するように構成することもできる。
【００４４】
また、本発明では、それぞれ異なる実体角を有する複数の実体角変換部を備えた実体角変換ユニットを用いてもよい。このような実体角変換ユニットを用いることにより必要に応じて実体角を選択する幅が増えるので、被検者の被検眼に対する観察や検査をより容易に行うことができる。
【００４５】
さらに、変換された実体角に対応して複数の輻輳角を調整可能な輻輳角変換部を設けることにより、各実体角において最適な立体感を得ることができる。
【００４６】
【発明の効果】
以上、本発明によれば、双眼用の実体顕微鏡において、対物レンズと変倍光学系との間に実体角変換部を設けて実体角を変換可能とするとともに、変倍光学系と接眼レンズとの間に輻輳角調整部を設けて実体角変換部によって変換された実体角に応じて輻輳角も調整可能とすることにより、被検者の被検眼の前眼部および眼底部の観察や検査を容易に行うことができる。
【図面の簡単な説明】
【図１】本発明の実施の形態の双眼用の実体顕微鏡の外観構成を示す平面図である。
【図２】本発明の実施の形態の双眼用の実体顕微鏡の外観構成を示す側面図である。
【図３】本発明の実施の形態の双眼用の実体顕微鏡の光学系の構成を示す図である。
【図４】本発明の実施の形態の双眼用の実体顕微鏡における実体角変換ユニットの構成を示す概略図である。
【図５】本発明の実施の形態の双眼用の実体顕微鏡により被検眼の眼底部を観察する場合の光学系の構成を示す図である。
【図６】本発明の実施の形態の双眼用の実体顕微鏡における実体角の変換および輻輳角の調整を説明するための図である。
【図７】本発明の実施の形態の双眼用の実体顕微鏡の構成の一部を示すブロック図である。
【図８】本発明の実施の形態の双眼用の実体顕微鏡において接眼レンズ部を旋回させる接眼レンズ部旋回機構を示す図である。
【図９】本発明の実施の形態の双眼用の実体顕微鏡において接眼レンズ部を旋回させる接眼レンズ部旋回機構を示す図である。
【符号の説明】
α１、α２  実体角
θ  輻輳角
Ｌ１、Ｌ２、Ｌ３、Ｌ４  左右光軸
Ｏ  観察対象物
１  対物レンズユニット
１ａ  対物レンズ
２  変倍光学系ユニット
２ａ、２ｂ  変倍光学系
３ａ、３ｂ  結像レンズ
４ａ、４ｂ  正立プリズム
５  接眼鏡ユニット
５ａ、５ｂ  接眼レンズ部
６  実体角変換ユニット
６ａ、６ｂ  実体角変換プリズム
７  移動レバー
１０  実体顕微鏡
１８  実体角変換部
３０  輻輳角変換部
３０ａ、３０ｂ  ウエッジプリズム
４０  ウエッジプリズム駆動回路
４１  実体角切換検出スイッチ
４２  接眼レンズ部駆動回路
４３  駆動モータ
４４  記録ユニット
５０  制御処理ユニット
【図１】
0004354065.tif 000002
【図２】
0004354065.tif 000003
【図３】
0004354065.tif 000004
【図４】
0004354065.tif 000005
【図５】
0004354065.tif 000006
【図６】
0004354065.tif 000007
【図７】
0004354065.tif 000008
【図８】
0004354065.tif 000009
【図９】
0004354065.tif 000010